(57)【要約】【課題】  遺品・遺骨の劣化・変質が少なく良好な保存状態を長期間に渡って維持できるペット遺品収容器を提供する。【解決手段】  上面が開放された容器本体１に内部の収容室２を気密可能に密閉できる蓋体３を備え、容器本体１の側面に排気口１ａを設け、排気口１ａの内部に逆止弁を設ける。容器本体１及び蓋体３は肉厚の合成樹脂で構成する。容器本体１にペットの遺品Ａを収容し、シール材３ｂを介して蓋体３で気密し、排気口１ａから吸引ポンプ等で排気して収容室２内を真空状態にする。これにより、内部の遺品Ａが酸化・虫喰い・腐食等から保護される。【選択図】図１
0003132132.tif 000002
【実用新案登録請求の範囲】
【請求項１】
ペットの遺品・遺骨を収容するためのペット遺品収容器であって、上面が開放された容器本体にシール材を介して蓋体を固定手段で気密可能に設け、容器本体の側面に逆止弁付きの排気口を設けたことを特徴とする、ペット遺品収容器。
【請求項２】
蓋体の固定手段が、容器本体の四隅の側壁にネジ孔を上下方向に貫通し、同ネジ孔にネジを底面側から挿入して蓋体の下面と螺合して気密する構造である、請求項１記載のペット遺品収容器。
【請求項３】
ペットの遺品・遺骨を収容するためのペット遺品収容器であって、上面が開放された容器本体の四隅の側壁にネジ孔を上下方向に貫通し、同ネジ孔にネジを底面側から挿入して蓋体の下面と螺合して気密できるようにし、容器本体の側面に逆止弁付きの排気口を設けたことを特徴とする、ペット遺品収容器。
【請求項４】
容器本体の底部に薄物の遺品を収容できるトレーをスライド自在に設けた、請求項１〜３いずれか記載のペット遺品収容器。
【考案の詳細な説明】
【技術分野】
【０００１】
本考案はペット用の遺品収容器に関する。
【背景技術】
【０００２】
従来のペット遺品収容器が特許文献１に開示されている。この技術は、蓋体を備えた箱体内に遺骨を収容する納骨室を設け、納骨室の上部にペットの遺影を表した中蓋体を開閉可能に設け、納骨室以外の部分に香炉等を収容できる小物入れ室を設けたことを特徴としている。ところで、前記のようなペット遺品収容器は長期保存していると酸化・虫喰い・腐食等により劣化・変質する問題があった。
【特許文献１】実用新案登録第３０８３１２９号公報
【考案の開示】
【考案が解決しようとする課題】
【０００３】
本考案が解決しようとする課題は、従来のこれらの問題点を解消し、長期間において劣化・変質が少なく良好な保存状態を維持できるペット遺品収容器を提供することにある。
【課題を解決するための手段】
【０００４】
かかる課題を解決した本考案の構成は、
１）  ペットの遺品・遺骨を収容するためのペット遺品収容器であって、上面が開放された容器本体にシール材を介して蓋体を固定手段で気密可能に設け、容器本体の側面に逆止弁付きの排気口を設けたことを特徴とする、ペット遺品収容器
２）  蓋体の固定手段が、容器本体の四隅の側壁にネジ孔を上下方向に貫通し、同ネジ孔にネジを底面側から挿入して蓋体の下面と螺合して気密する構造である、前記１）記載のペット遺品収容器
３）  ペットの遺品・遺骨を収容するためのペット遺品収容器であって、上面が開放された容器本体の四隅の側壁にネジ孔を上下方向に貫通し、同ネジ孔にネジを底面側から挿入して蓋体の下面と螺合して気密できるようにし、容器本体の側面に逆止弁付きの排気口を設けたことを特徴とする、ペット遺品収容器
４）  容器本体の底部に薄物の遺品を収容できるトレーをスライド自在に設けた、前記１）〜３）いずれか記載のペット遺品収容器
にある。
【考案の効果】
【０００５】
本考案では、容器本体にペットの遺品・遺骨を収容し、シール材を介して蓋体で気密し、排気口から吸引ポンプで排気して容器本体内を真空状態にする。排気口には逆止弁があるから空気の流入が防止される。これにより、内部の遺品・遺骨を酸化・虫喰い・腐食等から保護して劣化・変質を防止し、良好な保存状態を長期間に渡って維持できる。
【考案を実施するための最良の形態】
【０００６】
本考案のシール材としては、ゴム等のパッキン・シリコン・接着剤等が用いられる。蓋体を固定するネジは底面から挿入して螺合すると、蓋体の表面にネジ頭が露出されず意匠性に優れる。容器本体の底部には薄物の遺品を収容できるトレーをスライド自在に設けてもよい。薄物の遺品としては、ペットの画像や音声等を記録したＣＤ（コンパクトディスク）・ＤＶＤ（デジタル多用途ディスク），写真，記帳，印刷物等がある。容器本体及び蓋体は、真空に耐えうる肉厚の合成樹脂・金属で構成される。以下、本考案の各実施例を図面に基づいて具体的に説明する。
【実施例１】
【０００７】
図１は実施例１のペット遺品収容器の一部切り欠き斜視図、図２は実施例１のペット遺品収容器の分解斜視図、図３は実施例１の逆止弁を示す縦断面図、図４は実施例１の排気を示す説明図である。図中、１は容器本体、１ａは排気口、１ｂはネジ孔、１ｃはプレート、２は収容室、２ａは溝、３は蓋体、３ａはネジ孔、３ｂはシール材、４は逆止弁、５はネジ、６は吸引ポンプ、６ａはノズル、６ｂは栓、Ａは遺品である。
【０００８】
実施例１のペット遺品収容器は、上面が開放された容器本体１に内部の収容室２を気密可能に密閉できる蓋体３を備え、収容室２の縁部周囲にシール材３ｂを嵌合するための溝２ａを形成し、容器本体１の側面に排気口１ａを設け、排気口１ａの内部にバネで外側へ付勢する逆止弁４を設けている。容器本体１の四隅の側壁にはネジ山の無いネジ孔１ｂを上下方向に貫通し、蓋体３の下面の四隅にネジ孔３ａを螺刻している。容器本体１の排気口１ａとは反対する側面にはペットの写真又は名前を表示するプレート１ｃを設けている。容器本体１及び蓋体３は１２ｍｍ厚の合成樹脂で構成し、全体の寸法は高さ６７ｍｍ、幅１２０ｍｍ、奥行き８０ｍｍである。
【０００９】
実施例１では、収容室２に遺品Ａを収容し、溝２ａにシール材３ｂを嵌合した後に蓋体３を仮閉し、ネジ５を容器本体１の底面からネジ孔１ｂに挿入して蓋体３のネジ孔３ａと強く螺合して気密する。図４（ａ）に示すように、排気口１ａに吸引ポンプ６のノズル６ａを接続すると、その先端が逆止弁４を押して排気口１ａが開放され、この状態で吸引ポンプ６を作動させて収容室２を排気して真空にする。図４（ｂ）に示すように、排気後にノズル６ａを取り外すと逆止弁４がバネの付勢で排気口１ａを閉塞し、空気は流入しない。排気口１ａには栓６ｂをしておく。これにより、遺品Ａを酸化・虫喰い・腐食等から保護して劣化・変質劣化を防止し、良好な保存状態を長期間に渡って維持できる。
【００１０】
図５に示すのは、収容室を２箇所に区画した実施例１のペット遺品収容器の他の例である。図５は実施例１の他の例のペット遺品収容器の分解斜視図である。図中、２ｂは仕切りである。実施例１の他の例では、図５に示すように収容室２を仕切り２ｂで２箇所に区画し、排気口１ａを一方の収容室２の位置に形成している。劣化・変質が心配される遺品Ａは排気口１ａを有する収容室２に収容して真空状態にし、劣化・変質の心配ない遺品Ａは排気口１ａを有しない収容室２に収容する。その他、符号、構成、作用効果は実施例１と同じである。
【実施例２】
【００１１】
図６に示す実施例２は、容器の底部に薄物の遺品を収容できるトレーをスライド自在に設けたペット遺品収容器の例である。図６は実施例２のペット遺品収容器の斜視図である。図中、２ｃは下部収容室、７はトレー、７ａは取っ手である。実施例２では、図６に示すように容器本体１の底部に下部収容室２ｃを形成し、トレー７を下部収容室２ｂに挿入してスライドできるようにしている。このトレー７にペットの画像や音声等を記録したＣＤ・ＤＶＤ，写真，記帳，印刷物等からなる薄物の遺品Ａを収容する。その他、符号、構成、作用効果は実施例１と同じである。
【産業上の利用可能性】
【００１２】
本考案はペット用に使用される。
【図面の簡単な説明】
【００１３】
【図１】実施例１のペット遺品収容器の一部切り欠き斜視図である。
【図２】実施例１のペット遺品収容器の分解斜視図である。
【図３】実施例１の逆止弁を示す縦断面図である。
【図４】実施例１の排気を示す説明図である。
【図５】実施例１の他の例のペット遺品収容器の分解斜視図である。
【図６】実施例２のペット遺品収容器の斜視図である。
【符号の説明】
【００１４】
１  容器本体
１ａ  排気口
１ｂ  ネジ孔
１ｃ  プレート
２  収容室
２ａ  溝
２ｂ  仕切り
２ｃ  下部収容室
３  蓋体
３ａ  ネジ孔
３ｂ  シール材
４  逆止弁
５  ネジ
６  吸引ポンプ
６ａ  ノズル
６ｂ  栓
７  トレー
７ａ  取っ手
Ａ  遺品
【図１】
0003132132.tif 000003
【図２】
0003132132.tif 000004
【図３】
0003132132.tif 000005
【図４】
0003132132.tif 000006
【図５】
0003132132.tif 000007
【図６】
0003132132.tif 000008
【手続補正書】
【提出日】平成19年3月26日(2007.3.26)
【手続補正１】
【補正対象書類名】明細書
【補正対象項目名】０００９
【補正方法】変更
【補正の内容】
【０００９】
実施例１では、収容室２に遺品Ａを収容し、溝２ａにシール材３ｂを嵌合した後に蓋体３を仮閉し、ネジ５を容器本体１の底面からネジ孔１ｂに挿入して蓋体３のネジ孔３ａと強く螺合して気密する。図４（ａ）に示すように、排気口１ａに吸引ポンプ６のノズル６ａを接続すると、その先端が逆止弁４を押して排気口１ａが開放され、この状態で吸引ポンプ６を作動させて収容室２を排気して真空にする。図４（ｂ）に示すように、排気後にノズル６ａを取り外すと逆止弁４がバネの付勢で排気口１ａを閉塞し、空気は流入しない。排気口１ａには栓６ｂをしておく。これにより、遺品Ａを酸化・虫喰い・腐食等から保護して劣化・変質劣化を防止し、良好な保存状態を長期間に渡って維持できる。また、排気した後に窒素ガスを収容室２に封入し、窒素ガスの雰囲気下で遺品Ａを保存することで、劣化・変質をより効果的に防止できるようにしてもよい。